(57)【要約】【課題】  本発明は、製造物品の翼形部輪郭を提供する。【解決手段】  本製造物品は、表に記載したＸ、Ｙ及びＺのデカルト座標値に実質的に従った基準輪郭を有する。表は、ＴＡＢＬＥ  １Ｓ〜１６Ｓ、１Ｒ〜１７Ｒ及びＩＧＶから成る表の群から選択される。表において、Ｘ及びＹは、滑らかな連続円弧によって接続されるとインチで表した各距離Ｚにおける翼形部輪郭セクションを形成するインチで表した距離である。Ｚ距離における輪郭セクションは、互いに滑らかに結合されて完全な翼形部形状を形成する。【選択図】      図２
2006046347.tif 000002
【特許請求の範囲】
【請求項１】
ＴＡＢＬＥ  １Ｓ〜１６Ｓ、１Ｒ〜１７Ｒ及びＩＧＶから成る表の群から選択した表に記載したＸ、Ｙ及びＺのデカルト座標値に実質的に従った基準輪郭を有し、前記表において、Ｘ及びＹは、滑らかな連続円弧によって接続されるとインチで表した各距離Ｚにおける翼形部輪郭セクションを形成するインチで表した距離であり、
前記Ｚ距離における輪郭セクションが、互いに滑らかに結合されて完全な翼形部形状を形成する、
製造物品。
【請求項２】
前記物品が翼形部を含む、請求項１記載の製造物品。
【請求項３】
前記物品形状が、任意の物品表面位置に対して垂直な方向に±０．１６０インチ以内のエンベロープ内に位置する、請求項２記載の製造物品。
【請求項４】
前記物品がロータを含む、請求項１記載の製造物品。
【請求項５】
前記物品がステータを含む、請求項１記載の製造物品。
【請求項６】
前記物品が入口ガイドベーンを含む、請求項１記載の製造物品。
【請求項７】
その各々が翼形形状を有する翼形部を備えた複数の製造物品を有する圧縮機ホイールを含む圧縮機であって、
前記翼形部が、ＴＡＢＬＥ  １Ｓ〜１６Ｓ、１Ｒ〜１７Ｒ及びＩＧＶから成る表の群から選択した表に記載したＸ、Ｙ及びＺのデカルト座標値に実質的に従った基準輪郭を有し、前記表において、Ｘ及びＹは、滑らかな連続円弧によって接続されるとインチで表した各距離Ｚにおける翼形部輪郭セクションを形成するインチで表した距離であり、
前記Ｚ距離における輪郭セクションが、互いに滑らかに結合されて完全な翼形部形状を形成する、
圧縮機。
【請求項８】
前記製造物品がロータを含む、請求項７記載の圧縮機。
【請求項９】
前記製造物品がステータを含む、請求項７記載の圧縮機。
【請求項１０】
前記製造物品が入口ガイドベーンを含む、請求項７記載の圧縮機。
【請求項１１】
その各々が翼形部を備えた複数の製造物品を有する圧縮機ホイールを含む圧縮機であって、
前記翼形部が、ＴＡＢＬＥ  １Ｓ〜１６Ｓ、１Ｒ〜１７Ｒ及びＩＧＶから成る表の群から選択した表に記載したＸ、Ｙ及びＺのデカルト座標値に実質的に従った被膜のない基準翼形部輪郭を有し、前記表において、Ｘ及びＹは、滑らかな連続円弧によって接続されるとインチで表した各距離Ｚにおける翼形部輪郭セクションを形成するインチで表した距離であり、
前記Ｚ距離における輪郭セクションが、互いに滑らかに結合されて完全な翼形部形状を形成し、
前記Ｘ及びＹ距離が、拡大又は縮小したロータブレード翼形部を得るために、同一の定数又は数値の関数として拡大縮小可能である、
圧縮機。
【請求項１２】
前記製造物品がロータを含む、請求項１１記載の圧縮機。
【請求項１３】
前記製造物品がステータを含む、請求項１１記載の圧縮機。
【請求項１４】
前記製造物品が入口ガイドベーンを含む、請求項１１記載の圧縮機。
【請求項１５】
前記翼形部形状が、任意の翼形部表面位置に対して垂直な方向に±０．１６０インチ以内のエンベロープ内に位置する、
請求項１１記載の圧縮機。
【発明の詳細な説明】
【技術分野】
【０００１】
本発明は、ガスタービンのロータブレード用の翼形部に関する。具体的には、本発明は、圧縮機の様々な段用の圧縮機翼形部輪郭に関する。具体的には、本発明は、圧縮機の様々な段における入口ガイドベーン、ロータ又はステータのいずれか用の圧縮機翼形部輪郭に関する。
【背景技術】
【０００２】
ガスタービンでは、設計目標に合わせるために、各段のガスタービン流路セクションにおいて多くのシステム要件が満たされなければならない。これらの設計目標には、それに限定されないが、全体効率の向上及び翼形部負荷能力が含まれる。例えば、また発明を決して限定するものではないが、圧縮機ステータのブレードは、その特定段における熱的及び機械的作動要件を達成しなければならない。さらに、例えば、また発明を決して限定するものではないが、圧縮機ロータのブレードは、その特定段における熱的及び機械的作動要件を達成しなければならない。
【発明の開示】
【課題を解決するための手段】
【０００３】
本発明の１つの態様によると、製造物品は、表に記載したＸ、Ｙ及びＺのデカルト座標値に実質的に従った基準輪郭を有する。表は、ＴＡＢＬＥ  １Ｓ〜１６Ｓ、１Ｒ〜１７Ｒ及びＩＧＶから成る表の群から選択される。表において、Ｘ及びＹは、滑らかな連続円弧によって接続されるとインチで表した各距離Ｚにおける翼形部輪郭セクションを形成するインチで表した距離である。Ｚ距離における輪郭セクションは、互いに滑らかに結合されて完全な翼形部形状を形成する。
【０００４】
本発明の別の態様によると、圧縮機は、圧縮機ホイールを含む。圧縮機ホイールは、複数の製造物品を有する。各製造物品は、翼形形状を有する翼形部を含む。翼形部は、表に記載したＸ、Ｙ及びＺのデカルト座標値に実質的に従った基準輪郭を有する。表は、ＴＡＢＬＥ  １Ｓ〜１６Ｓ、１Ｒ〜１７Ｒ及びＩＧＶから成る表の群から選択される。表において、Ｘ及びＹは、滑らかな連続円弧によって接続されるとインチで表した各距離Ｚにおける翼形部輪郭セクションを形成するインチで表した距離である。Ｚ距離における輪郭セクションは、互いに滑らかに結合されて完全な翼形部形状を形成する。
【０００５】
本発明のさらに別の態様によると、圧縮機は、複数の製造物品を有する圧縮機ホイールを含む。製造物品の各々は、翼形部を含み、翼形部は、表に記載したＸ、Ｙ及びＺのデカルト座標値に実質的に従った被膜のない基準翼形部輪郭を有する。表は、ＴＡＢＬＥ  １Ｓ〜１６Ｓ、１Ｒ〜１７Ｒ及びＩＧＶから成る表の群から選択される。表において、Ｘ及びＹは、滑らかな連続円弧によって接続されるとインチで表した各距離Ｚにおける翼形部輪郭セクションを形成するインチで表した距離である。Ｚ距離における輪郭セクションは、互いに滑らかに結合されて完全な翼形部形状を形成する。
【発明を実施するための最良の形態】
【０００６】
次ぎに図面を参照すると、図１は、複数の圧縮機段を含むガスタービン圧縮機２の軸流圧縮機流路１を示す。図において、圧縮機段は、順次に番号付けしている。圧縮機流路は、１７個のロータ段及びステータ段を含む。しかしながら、ロータ及びステータ段の的確な数は、技術設計の選択範囲である。本発明によって具現化する場合、圧縮機内には、任意の数のロータ及びステータ段を設けることができる。１７個のロータ段は、１つのタービン設計の単なる例示にすぎない。１７個のロータ段は、いずれにしても、本発明を限定することを意図したものではない。
【０００７】
圧縮機ロータブレードは、空気流に運動エネルギーを与え、従って所望の圧力上昇をもたらす。ロータ翼形部の直後に続くのは、ステータ翼形部の段である。ロータ及びステータ翼形部の両方は、空気流を方向転換させ、空気流速度を低下させ（図のそれぞれの翼形部構成において）、かつ空気流の静圧の上昇をもたらす。一般的に、多数列のロータ／ステータ段は、軸流圧縮機の形態で重ねられて所望の吐出対入口圧力比を達成する。ロータ及びステータ翼形部は、多くの場合「根元」、「基部」又は「ダブテール」（図２〜図５参照）として知られる適当な取付け構成によってロータホイール又はステータケースに固定することができる。
【０００８】
図１には、圧縮機２の第１０段を例示的に示している。圧縮機２の第１０段は、ロータホイール５１上に取付けた複数の円周方向に間隔を置いて配置されたロータブレード２２と固定圧縮機ケース５９に取付けた複数の円周方向に間隔を置いて配置されたステータブレード２３とを含む。ロータホイールの各々は、後部駆動軸５８に取付けられ、後部駆動軸５８はエンジンのタービンセクションに結合される。ロータブレード及びステータブレードは、圧縮機の流路１内に位置する。本発明によって具現化する場合、圧縮機流路１を通る空気流の方向を矢印６０（図１）で示している。圧縮機２の第１０段は、本発明の技術的範囲内にある圧縮機２の段の単なる例示にすぎない。圧縮機２の第１０段は、いずれにしても本発明を限定することを意図したものではない。
【０００９】
ロータブレード２２は、後部駆動軸５８の一部を形成するロータホイール５１上に取付けられる。図２〜図６に示すように、各ロータブレード２２には、プラットフォーム６１と、ロータホイール５１上の相補形嵌合ダブテール（図示せず）に結合する実質的又は近似軸方向挿入式ダブテール６２とが設けられる。しかしながら、本発明によって具現化する場合、軸方向挿入式ダブテールは、翼形輪郭を備えることができる。各ロータブレード２２は、図２〜図６に示すようにロータブレード翼形部６３を含む。従って、ロータブレード２２の各々は、プラットフォーム６１の中間位置における翼形部根元６４からロータブレード先端６５までの任意の断面において、翼形部の一般的な形状（図６）のロータブレード翼形輪郭６６を有する。
【００１０】
ロータブレード翼形部の翼形形状を形成するために、空間における固有の点の組又は軌跡が与えられる。この固有の点の組又は軌跡は、段をそのように形成することができる段要件を満たす。この固有の点の軌跡はまた、段効率並びに低い熱的及び機械的応力に対する所望の要件を満たす。この点の軌跡は、圧縮機を効率的、安全かつ円滑な方法で作動させるのを可能にする気体力学的負荷と機械的負荷との間での反復法によって得られる。
【００１１】
本発明によって具現化する場合、この軌跡は、ロータブレード翼形部輪郭を形成し、エンジンの回転軸線に対する点の組を含むことができる。例えば、点の組は、ロータブレード翼形部輪郭を形成するように使用することができる。
【００１２】
下の表に記載したＸ、Ｙ及びＺのデカルト座標値は、その長さに沿った様々な位置におけるロータブレード翼形部の輪郭を定める。Ｘ、Ｙ及びＺ座標における座標値はインチで記載しているが、この値を適切に変換する場合には別の寸法の単位を使用することもできる。これらの値はプラットフォームのフィレット領域を除外している。デカルト座標系は、直交関係のＸ、Ｙ及びＺ軸を有する。Ｘ軸は、圧縮機ブレードのダブテール軸線と平行に位置し、ダブテール軸線は、ロータの場合の図７及びステータの場合の図８に示すように、エンジンの中心線に対してある角度をなしている。正のＸ座標値は、後方に向かって、例えば圧縮機の排出端部に向かった軸方向である。正のＹ座標値は、ダブテール軸線に対して垂直な方向に向いている。正のＺ座標値は、ロータブレードの場合には、圧縮機の固定ケーシングの方向である、翼形部の先端に向いた半径方向外向きの方向に向いており、ステータブレードの場合には、圧縮機のエンジン中心線に向かった半径方向内向きの方向に向いている。
【００１３】
Ｘ、Ｙ平面に対して垂直なＺ方向での選択位置におけるＸ及びＹ座標値を定めることによって、それに限定されないが、翼形部の長さに沿った各Ｚ距離における図６の輪郭セクション６６のようなロータブレード翼形部の輪郭セクションを確定することができる。Ｘ及びＹ値を滑らかな連続円弧で接続することによって、各距離Ｚにおける各輪郭セクション６６を決定することができる。距離Ｚ間の様々な表面位置の翼形部輪郭は、隣接する輪郭セクション６６を互いに滑らかに結合することによって決定され、従って翼形部輪郭を形成する。これらの値は、周囲温度、非作動又は非高温状態での翼形部輪郭を表し、かつ被膜のない翼形部に対するものである。
【００１４】
表の値は、翼形部の輪郭を決定するために小数点以下３桁まで作成されかつ示されている。翼形部の実際の輪郭には、考慮すべき一般的な製造公差と被膜とが存在する。従って、示した輪郭に対する値は、基準翼形部のためのものである。従って、あらゆる被膜厚さを含む＋／−値のような一般的な＋／−の製造公差が、Ｘ及びＹ値に加えられることを理解されたい。従って、翼形部輪郭に沿った任意表面位置に対して垂直な方向に約＋／−０．１６０インチの距離が、ロータブレード翼形部設計及び圧縮機に対する翼形部輪郭エンベロープを定める。言い換えると、本発明によって具現化する場合、翼形部輪郭に沿った任意の表面位置に対して垂直な方向における約＋／−０．１６０インチの距離は、基準の低温又は室温での実際の翼形部表面上の測定点と、同一温度でのこれらの点の理想位置との間における差異の範囲を定める。本発明によって具現化する場合、このロータブレード翼形部の設計は、この差異の範囲に対して安定しており、機械的及び空気力学的機能を損なうことがない。
【００１５】
下のＴＡＢＬＥ  １Ｓに記載した座標値は、例示的な第１段ステータに対する基準輪郭エンベロープを示す。
【００１６】
【表１】
2006046347.tif 000003
【００１７】
2006046347.tif 000004
【００１８】
2006046347.tif 000005
【００１９】
2006046347.tif 000006
【００２０】
2006046347.tif 000007
【００２１】
2006046347.tif 000008
【００２２】
下のＴＡＢＬＥ  ２Ｓに記載した座標値は、例示的な第２段ステータに対する基準輪郭エンベロープを示す。
【００２３】
【表２】
2006046347.tif 000009
【００２４】
2006046347.tif 000010
【００２５】
2006046347.tif 000011
【００２６】
2006046347.tif 000012
【００２７】
2006046347.tif 000013
【００２８】
2006046347.tif 000014
【００２９】
下のＴＡＢＬＥ  ３Ｓに記載した座標値は、例示的な第３段ステータに対する基準輪郭エンベロープを示す。
【００３０】
【表３】
2006046347.tif 000015
【００３１】
2006046347.tif 000016
【００３２】
2006046347.tif 000017
【００３３】
2006046347.tif 000018
【００３４】
2006046347.tif 000019
【００３５】
2006046347.tif 000020
【００３６】
下のＴＡＢＬＥ  ４Ｓに記載した座標値は、例示的な第４段ステータに対する基準輪郭エンベロープを示す。
【００３７】
【表４】
2006046347.tif 000021
【００３８】
2006046347.tif 000022
【００３９】
2006046347.tif 000023
【００４０】
2006046347.tif 000024
【００４１】
2006046347.tif 000025
【００４２】
2006046347.tif 000026
【００４３】
下のＴＡＢＬＥ  ５Ｓに記載した座標値は、例示的な第５段ステータに対する基準輪郭エンベロープを示す。
【００４４】
【表５】
2006046347.tif 000027
【００４５】
2006046347.tif 000028
【００４６】
2006046347.tif 000029
【００４７】
2006046347.tif 000030
【００４８】
2006046347.tif 000031
【００４９】
2006046347.tif 000032
【００５０】
下のＴＡＢＬＥ  ６Ｓに記載した座標値は、例示的な第６段ステータに対する基準輪郭エンベロープを示す。
【００５１】
【表６】
2006046347.tif 000033
【００５２】
2006046347.tif 000034
【００５３】
2006046347.tif 000035
【００５４】
2006046347.tif 000036
【００５５】
2006046347.tif 000037
【００５６】
2006046347.tif 000038
【００５７】
下のＴＡＢＬＥ  ７Ｓに記載した座標値は、例示的な第７段ステータに対する基準輪郭エンベロープを示す。
【００５８】
【表７】
2006046347.tif 000039
【００５９】
2006046347.tif 000040
【００６０】
2006046347.tif 000041
【００６１】
2006046347.tif 000042
【００６２】
2006046347.tif 000043
【００６３】
2006046347.tif 000044
【００６４】
下のＴＡＢＬＥ  ８Ｓに記載した座標値は、例示的な第８段ステータに対する基準輪郭エンベロープを示す。
【００６５】
【表８】
2006046347.tif 000045
【００６６】
2006046347.tif 000046
【００６７】
2006046347.tif 000047
【００６８】
2006046347.tif 000048
【００６９】
2006046347.tif 000049
【００７０】
2006046347.tif 000050
【００７１】
下のＴＡＢＬＥ  ９Ｓに記載した座標値は、例示的な第９段ステータに対する基準輪郭エンベロープを示す。
【００７２】
【表９】
2006046347.tif 000051
【００７３】
2006046347.tif 000052
【００７４】
2006046347.tif 000053
【００７５】
2006046347.tif 000054
【００７６】
2006046347.tif 000055
【００７７】
2006046347.tif 000056
【００７８】
下のＴＡＢＬＥ  １０Ｓに記載した座標値は、例示的な第１０段ステータに対する基準輪郭エンベロープを示す。
【００７９】
【表１０】
2006046347.tif 000057
【００８０】
2006046347.tif 000058
【００８１】
2006046347.tif 000059
【００８２】
2006046347.tif 000060
【００８３】
2006046347.tif 000061
【００８４】
2006046347.tif 000062
【００８５】
下のＴＡＢＬＥ  １１Ｓに記載した座標値は、例示的な第１１段ステータに対する基準輪郭エンベロープを示す。
【００８６】
【表１１】
2006046347.tif 000063
【００８７】
2006046347.tif 000064
【００８８】
2006046347.tif 000065
【００８９】
2006046347.tif 000066
【００９０】
2006046347.tif 000067
【００９１】
2006046347.tif 000068
【００９２】
下のＴＡＢＬＥ  １２Ｓに記載した座標値は、例示的な第１２段ステータに対する基準輪郭エンベロープを示す。
【００９３】
【表１２】
2006046347.tif 000069
【００９４】
2006046347.tif 000070
【００９５】
2006046347.tif 000071
【００９６】
2006046347.tif 000072
【００９７】
2006046347.tif 000073
【００９８】
2006046347.tif 000074
【００９９】
【表１３】
2006046347.tif 000075
【０１００】
2006046347.tif 000076
【０１０１】
2006046347.tif 000077
【０１０２】
2006046347.tif 000078
【０１０３】
2006046347.tif 000079
【０１０４】
2006046347.tif 000080
【０１０５】
下のＴＡＢＬＥ  １４Ｓに記載した座標値は、例示的な第１４段ステータに対する基準輪郭エンベロープを示す。
【０１０６】
【表１４】
2006046347.tif 000081
【０１０７】
2006046347.tif 000082
【０１０８】
2006046347.tif 000083
【０１０９】
2006046347.tif 000084
【０１１０】
2006046347.tif 000085
【０１１１】
2006046347.tif 000086
【０１１２】
下のＴＡＢＬＥ  １５Ｓに記載した座標値は、例示的な第１５段ステータに対する基準輪郭エンベロープを示す。
【０１１３】
【表１５】
2006046347.tif 000087
【０１１４】
2006046347.tif 000088
【０１１５】
2006046347.tif 000089
【０１１６】
2006046347.tif 000090
【０１１７】
2006046347.tif 000091
【０１１８】
2006046347.tif 000092
【０１１９】
下のＴＡＢＬＥ  １６Ｓに記載した座標値は、例示的な第１６段ステータに対する基準輪郭エンベロープを示す。
【０１２０】
【表１６】
2006046347.tif 000093
【０１２１】
2006046347.tif 000094
【０１２２】
2006046347.tif 000095
【０１２３】
2006046347.tif 000096
【０１２４】
2006046347.tif 000097
【０１２５】
2006046347.tif 000098
【０１２６】
下のＴＡＢＬＥ  １Ｒに記載した座標値は、例示的な第１段ロータに対する基準輪郭エンベロープを示す。
【０１２７】
【表１７】
2006046347.tif 000099
【０１２８】
2006046347.tif 000100
【０１２９】
2006046347.tif 000101
【０１３０】
2006046347.tif 000102
【０１３１】
2006046347.tif 000103
【０１３２】
2006046347.tif 000104
【０１３３】
下のＴＡＢＬＥ  ２Ｒに記載した座標値は、例示的な第２段ロータに対する基準輪郭エンベロープを示す。
【０１３４】
【表１８】
2006046347.tif 000105
【０１３５】
2006046347.tif 000106
【０１３６】
2006046347.tif 000107
【０１３７】
2006046347.tif 000108
【０１３８】
2006046347.tif 000109
【０１３９】
2006046347.tif 000110
【０１４０】
下のＴＡＢＬＥ  ３Ｒに記載した座標値は、例示的な第３段ロータに対する基準輪郭エンベロープを示す。
【０１４１】
【表１９】
2006046347.tif 000111
【０１４２】
2006046347.tif 000112
【０１４３】
2006046347.tif 000113
【０１４４】
2006046347.tif 000114
【０１４５】
2006046347.tif 000115
【０１４６】
2006046347.tif 000116
【０１４７】
【表２０】
2006046347.tif 000117
【０１４８】
2006046347.tif 000118
【０１４９】
2006046347.tif 000119
【０１５０】
2006046347.tif 000120
【０１５１】
2006046347.tif 000121
【０１５２】
2006046347.tif 000122
【０１５３】
下のＴＡＢＬＥ  ５Ｒに記載した座標値は、例示的な第５段ロータに対する基準輪郭エンベロープを示す。
【０１５４】
【表２１】
2006046347.tif 000123
【０１５５】
2006046347.tif 000124
【０１５６】
2006046347.tif 000125
【０１５７】
2006046347.tif 000126
【０１５８】
2006046347.tif 000127
【０１５９】
2006046347.tif 000128
【０１６０】
下のＴＡＢＬＥ  ６Ｒに記載した座標値は、例示的な第６段ロータに対する基準輪郭エンベロープを示す。
【０１６１】
【表２２】
2006046347.tif 000129
【０１６２】
2006046347.tif 000130
【０１６３】
2006046347.tif 000131
【０１６４】
2006046347.tif 000132
【０１６５】
2006046347.tif 000133
【０１６６】
2006046347.tif 000134
【０１６７】
下のＴＡＢＬＥ  ７Ｒに記載した座標値は、例示的な第７段ロータに対する基準輪郭エンベロープを示す。
【０１６８】
【表２３】
2006046347.tif 000135
【０１６９】
2006046347.tif 000136
【０１７０】
2006046347.tif 000137
【０１７１】
2006046347.tif 000138
【０１７２】
2006046347.tif 000139
【０１７３】
2006046347.tif 000140
【０１７４】
下のＴＡＢＬＥ  ８Ｒに記載した座標値は、例示的な第８段ロータに対する基準輪郭エンベロープを示す。
【０１７５】
【表２４】
2006046347.tif 000141
【０１７６】
2006046347.tif 000142
【０１７７】
2006046347.tif 000143
【０１７８】
2006046347.tif 000144
【０１７９】
2006046347.tif 000145
【０１８０】
2006046347.tif 000146
【０１８１】
下のＴＡＢＬＥ  ９Ｒに記載した座標値は、例示的な第９段ロータに対する基準輪郭エンベロープを示す。
【０１８２】
【表２５】
2006046347.tif 000147
【０１８３】
2006046347.tif 000148
【０１８４】
2006046347.tif 000149
【０１８５】
2006046347.tif 000150
【０１８６】
2006046347.tif 000151
【０１８７】
2006046347.tif 000152
【０１８８】
下のＴＡＢＬＥ  １０Ｒに記載した座標値は、例示的な第１０段ロータに対する基準輪郭エンベロープを示す。
【０１８９】
【表２６】
2006046347.tif 000153
【０１９０】
2006046347.tif 000154
【０１９１】
2006046347.tif 000155
【０１９２】
2006046347.tif 000156
【０１９３】
2006046347.tif 000157
【０１９４】
2006046347.tif 000158
【０１９５】
下のＴＡＢＬＥ  １１Ｒに記載した座標値は、例示的な第１１段ロータに対する基準輪郭エンベロープを示す。
【０１９６】
【表２７】
2006046347.tif 000159
【０１９７】
2006046347.tif 000160
【０１９８】
2006046347.tif 000161
【０１９９】
2006046347.tif 000162
【０２００】
2006046347.tif 000163
【０２０１】
2006046347.tif 000164
【０２０２】
下のＴＡＢＬＥ  １２Ｒに記載した座標値は、例示的な第１２段ロータに対する基準輪郭エンベロープを示す。
【０２０３】
【表２８】
2006046347.tif 000165
【０２０４】
2006046347.tif 000166
【０２０５】
2006046347.tif 000167
【０２０６】
2006046347.tif 000168
【０２０７】
2006046347.tif 000169
【０２０８】
2006046347.tif 000170
【０２０９】
下のＴＡＢＬＥ  １３Ｒに記載した座標値は、例示的な第１３段ロータに対する基準輪郭エンベロープを示す。
【０２１０】
【表２９】
2006046347.tif 000171
【０２１１】
2006046347.tif 000172
【０２１２】
2006046347.tif 000173
【０２１３】
2006046347.tif 000174
【０２１４】
2006046347.tif 000175
【０２１５】
2006046347.tif 000176
【０２１６】
下のＴＡＢＬＥ  １４Ｒに記載した座標値は、例示的な第１４段ロータに対する基準輪郭エンベロープを示す。
【０２１７】
【表３０】
2006046347.tif 000177
【０２１８】
2006046347.tif 000178
【０２１９】
2006046347.tif 000179
【０２２０】
2006046347.tif 000180
【０２２１】
2006046347.tif 000181
【０２２２】
2006046347.tif 000182
【０２２３】
下のＴＡＢＬＥ  １５Ｒに記載した座標値は、例示的な第１５段ロータに対する基準輪郭エンベロープを示す。
【０２２４】
【表３１】
2006046347.tif 000183
【０２２５】
2006046347.tif 000184
【０２２６】
2006046347.tif 000185
【０２２７】
2006046347.tif 000186
【０２２８】
2006046347.tif 000187
【０２２９】
2006046347.tif 000188
【０２３０】
下のＴＡＢＬＥ  １６Ｒに記載した座標値は、例示的な第１６段ロータに対する基準輪郭エンベロープを示す。
【０２３１】
【表３２】
2006046347.tif 000189
【０２３２】
2006046347.tif 000190
【０２３３】
2006046347.tif 000191
【０２３４】
2006046347.tif 000192
【０２３５】
2006046347.tif 000193
【０２３６】
2006046347.tif 000194
【０２３７】
下のＴＡＢＬＥ  ＩＧＶに記載した座標値は、例示的な入口ガイドベーンに対する基準輪郭エンベロープを示す。
【０２３８】
【表３３】
2006046347.tif 000195
【０２３９】
2006046347.tif 000196
【０２４０】
2006046347.tif 000197
【０２４１】
2006046347.tif 000198
【０２４２】
2006046347.tif 000199
【０２４３】
2006046347.tif 000200
【０２４４】
本発明によって具現化する場合、例示的な実施形態では、例えば第１０段圧縮機ロータブレードには、非冷却型の６６個のロータブレード翼形部が設けられる。説明目的のためだけであるが、図５に示すように、スタッキング軸線に沿って翼形部とプラットフォームとの交差部を通るゼロ（０）点を設定する。本発明の第１０段ロータブレードの例示的な実施形態では、ゼロ（０）点は、そこでは上の表のＺ座標が０．０００インチである基準セクションとして定められ、この０．０００インチの位置は、エンジン又はロータ中心線から約３１．７３７インチに位置する。ロータブレード半径方向高さは、ゼロ（０）点から翼形部の先端まで約５．６２６インチである。従って、エンジン中心線からのロータブレード半径方向高さは、約３７．３６５インチである。翼形部セクションは、ゼロ（０）点から約Ｚ＝５．５８８インチの位置で終わる。本発明によって具現化する場合、上の表に記載した他のブレードも同様である。
【０２４５】
上の表に開示した例示的な翼形部は、他の類似した圧縮機設計において使用するために幾何学的に拡大又は縮小することができる。従って、表に記載した座標値は、翼形部輪郭形状を変化しない状態に維持して、率に応じて拡大又は縮小することができる。表の座標の拡大又は縮小バージョンは、定数により乗算又は除算した表のＸ、Ｙ及びＺ座標値によって表されることになる。
【０２４６】
本明細書には様々な実施形態を説明しているが、当業者がこれらの実施形態における要素の様々な組合せ、変更又は改良を行うことができ、またそれらが本発明の技術的範囲内にあることは、本明細書から明らかであろう。
【図面の簡単な説明】
【０２４７】
【図１】本発明の実施形態による例示的な第１０段ロータブレード翼形部を示す、ガスタービンの多段を通る圧縮機流路の概略図。
【図２】ロータブレード翼形部をそのプラットフォーム及びその実質的又は近似軸方向挿入式ダブテール継手と共に示した状態での、本発明の実施形態によるロータブレードの斜視図。
【図３】ロータブレード翼形部をそのプラットフォーム及びその実質的又は近似軸方向挿入式ダブテール継手と共に示した状態での、本発明の実施形態によるロータブレードの斜視図。
【図４】翼形部の正圧側からほぼ円周方向に見た、図２のロータブレード並びにそれに関連したプラットフォーム及びダブテール継手の側面図。
【図５】翼形部の負圧側からほぼ円周方向に見た、図２のロータブレード並びにそれに関連したプラットフォーム及びダブテール継手の側面図。
【図６】図５のほぼ線６−６で取ったロータブレード翼形部の断面図。
【図７】座標系をその上に重ねた状態での、本発明の実施形態によるロータブレードの斜視図。
【図８】座標系をその上に重ねた状態での、本発明の実施形態によるステータブレードの斜視図。
【符号の説明】
【０２４８】
１  圧縮機流路
２  ガスタービン圧縮機
２２  第１０段ロータブレード
２３  第１０段ステータブレード
５８  後部駆動軸
５９  固定圧縮機
６１  プラットフォーム
６２  ダブテール
６３  ロータブレード翼形部
６４  翼形部根元
６５  翼形部先端
【図１】
2006046347.tif 000201
【図２】
2006046347.tif 000202
【図３】
2006046347.tif 000203
【図４】
2006046347.tif 000204
【図５】
2006046347.tif 000205
【図６】
2006046347.tif 000206
【図７】
2006046347.tif 000207
【図８】
2006046347.tif 000208